(57)【要約】【課題】ボートの腰掛板に、簡単に着脱でき、尻下の痺れ、痛み、腰痛を防止し、コンパクトに収納できる背もたれ付きボート用腰掛を提供する。【解決手段】クッションフレーム前端に、Ｕ字状のフック部１ｄを設け、これをボート腰掛板１０に引っ掛け、バックフレーム２ｇに摩擦力を持たせ、これを回転可能にクッションヒンジ１ｅ部に取り付け、バックフレームを起こした時、バックヒンジ部２ｉとフック部１ｄが、ボートの腰掛板１０を挟み、動かないようにして、本腰掛を固定している。また左右のクッションフレームの連結と、パッドトリムアッシー９を保持するため、クッションボード１ｃをクッションフレームに、バックボード２ｈをバックフレームに取り付け、バックボード２ｈ、クッションボード１ｃ、パッドトリムアッシー９に、面ファスナー６を取り付け、パッドトリムアッシー９をフレームに容易に着脱できるようにしてある。【選択図】  図１
2005225264.tif 000002
【特許請求の範囲】
【請求項１】
クッションフレーム前端にＵ字状のフック部を設け、ボート腰掛板に該フック部を引っ掛けて取り付ける事を特徴とする、着脱可能で背もたれを有するボート用腰掛。                                                      
【請求項２】
クッションフレーム前端に、メネジを有するハンドルブラケットを設け、これに、ハンドルネジを取り付け、クッションフレームとハンドルネジの先端に取り付けてあるネジプレートとの間に、ボート腰掛板を挟み、ハンドルネジを締めて本腰掛を固定することを特徴とする、着脱可能な背もたれを有するボート用腰掛。
【請求項３】
クッションフレーム後端に、ヒンジ部及びストッパー部を設け、これにバックフレームを回転可能に、かつ摩擦抵抗を有するようにして取り付け、バックフレームを起こし、ストッパーピンがストッパー部に当たって止まった時、バックフレームの下端が少なくとも、ボート腰掛板より下方に突き出して、腰掛のはずれ防止となることを特徴とする、請求項１、請求項２のボート用腰掛。
【請求項４】
バックパッド、バック表皮、クッションパッド、クッション表皮を一体にした、パッドトリムアッシーの裏側に、面ファスナーを取り付け、バックフレームアッシー、およびクッションフレームアッシー側に、面ファスナーを取り付けて、パッドトリムアッシーがフレームに、簡単に脱着出来るようにしたことを特徴とする、請求項１、請求項２及び請求項３のボート用腰掛。
【発明の詳細な説明】
【技術分野】
【０００１】
本発明はボートの腰掛板に簡単に着脱できる、背もたれを有するボート用腰掛に関するものである。
【背景技術】
【０００２】
従来、小型のボート及びゴムボートの腰掛は、乗員数が不特定、及び低価格で販売することから、多くは板状のものを固定又は、はめ込みにして使用していた。しかしながら、長時間この腰掛板に座っていると、尻下の痺れ、痛み、腰痛が伴ってくるのは、多くの人が経験することである。
【０００３】
この対策として、ボートの腰掛板の上に、座布団をひいて尻下の痺れ、痛みを対策することも出来るが、座布団がズレ落ちたり、他のものにあたって落ちたりして、汚れることもしばしばであるし、腰痛の対策にはならなかった。
【特許文献１】実公平7-50316公報
【発明の開示】
【０００４】
尻下の痺れ、痛み、腰痛を防止し、ボートの腰掛板に容易に着脱でき、ズレ落ちないボート用腰掛を提供することが、本発明の課題である。
【０００５】
本発明は、クッションフレーム前端にＵ字状のフック部を設け、バックフレームをクッションヒンジ部に摩擦力を持たせて回転可能に連結し、後方にストッパーを設け、バックフレームを起こしたとき、バックフレーム下端がボート腰掛板より、下側に突出していることを主要な特徴とする。
【０００６】
ボート腰掛板に、クッションフレーム前側のフック部を引っ掛け、バックフレームを起こすことで、フック部とバックフレーム下端が、ボート腰掛板を抱え込む用になるため、本発明は腰掛板に固定される。またバックフレームを前方に倒すことで、バックフレーム下端の保持がなくなり、本発明を前にずらして、簡単に取り外し出来る。
【発明を実施するための最良の形態】
【０００７】
ボートの腰掛板へ容易に脱着出来、ずれ落ちず、尻下の痺れ、痛み、腰痛を防止するという目的を、洗濯し易さ、収納し易さを考慮して、最小限の部品点数で実現できた。
【実施例１】
【０００８】
図１は本発明の実施例１の側面図、図４は分解斜視図で、この図で示すように、パイプフレーム製のクッションフレームＬ１ａ、クッションフレームＲ１ｂの前端にＵ字状のフック部１ｄを設け、各々のクッションフレームの後端に、クッションヒンジ部１ｅ、ストッパー部１ｆを設け、パイプフレーム製のバックフレーム２ｇの下側のバックヒンジ部２ｉには、ウェルドナット２ｋ、ストッパーピン２ｊを取り付けている。バックフレームアッシー２は、クションフレームアッシー１のクッションヒンジ部１ｅにフリクションワッシャー４を介して、ヒンジボルト３で摩擦力を持たせ、回転可能に取り付けており、図１のようにバックフレームを起こしたとき、ストッパーピン２ｊがストッパー部１ｆにあたり止るようにしてあり、この時バックヒンジ部２ｅはボート腰掛板より下側に突き出るようにしている。また、クッションフレーム同士を連結し、パッドトリムアッシー９を保持するため、クッションボード１ｃをクッションフレームに、バックボード２ｈをバックフレーム２ｇに、ブラインドリベット５で取り付けてある。また図２、図３のように、クッションボード１ｃ、バックボード２ｈのそれぞれに、面ファスナー６をスティープル７で取り付けており、パッドトリムアッシー９はクッションパッド、クッショントリム、バックパッド、バックトリムを一体に縫製したもので、その裏側には、面ファスナー６を取り付けている。またフック部１ｄの内側には、後方負荷時の異音防止用として、サイレンサー８を取り付けている。                                                          
【０００９】
本発明をボートの腰掛板１０に取り付ける場合、図５の収納状態を示す側面図から、パッドトリムアッシー９をクッションボード１ｃの前側にある面ファスナー６を中心に180度回転させ、クッションフレーム前端のフック部１ｄをボート腰掛板１０に引っ掛け、バックフレームを９０度起こし、ストッパーピン２ｊがクッションストッパー部１ｆにあたり止めることで、バックフレーム下側のヒンジ部２ｉが、ボート腰掛板１０の後ろ側を規制するため、本発明はボートの腰掛板１０に固定される。またバックフレームアッシー２は、フリクションワッッシャー４を挟み込みクッションフレームに取り付けられている為、摩擦力が働き、容易にバックが動かず、取り付けられた腰掛は、ずれ落ちたりしない。この状態からパッドトリムアッシー９をさらに180度起こし、クッションボード、バックボードの面ファスナー６に、パッドトリムアッシー９の面ファスナー６を取り付けることにより、パッドトリムアッシーはフレームに固定される。これによって、長時間の着座による尻下の痺れ、痛み、腰痛は防止される。また表皮が汚れた場合には、パッドトリムアッシー９を取り外して、簡単に洗濯できる。
【００１０】
図６は第２の実施例を示す側面図で、クッションフレーム前端に、メネジを有するハンドルブラケット１ｐを設け、これにハンドルネジ１ｍを取り付け、この先端に取り付けてあるネジプレート１ｎとクッションフレームとの間に、ボート腰掛板１０を挟んで固定するようにしている。
【００１１】
図７は第３の実施例を示す側面図で、クッションフレーム前端に、別のフックブラケット１ｑを取り付け、フック部を形成し、バックヒンジ部の下端にはボート腰掛板の下まで抱え込むバックフック部２ｒを設けている。
【産業上の利用可能性】
【００１２】
ボートの腰掛板に簡単に取り付け出来て、長時間の着座による、尻下の痺れ、痛み、腰痛を防止することが出来、折りたためば、コンパクトに収納でき、また表皮が汚れれば、取り外して洗濯できるため、釣り、海水浴、自然観察、川下り等で広く利用される可能性がある。
【図面の簡単な説明】
【００１３】
【図１】本発明の第１の実施例を示した側面図である。
【図２】本発明の第１の実施例を正面から見て、右半分のパッドトリムアッシーを取り除いた切断正面図である。
【図３】本発明の第１の実施例を真上から見て、左半分のパッドトリムアッシー取りを除いた、切断平面図である。
【図４】本発明の第１の実施例を示した分解斜視図である。
【図５】本発明の第１の実施例を折り畳んだ側面図である。
【図６】本発明の第２の実施例を示した側面図である。
【図７】本発明の第３の実施例を示した側面図である。
【図８】本発明の第１の実施例をボートに取り付けた装着図である。
【符号の説明】
【００１４】
１    クッションフレームアッシー
１ａ  クッションフレームＬ
１ｂ  クッションフレームＲ
１ｃ  クッションボード
１ｄ  フック部
１ｅ  クッションヒンジ部
１ｆ  ストッパー部
１ｎ  ネジプレート
１ｍ  ハンドルネジ
１ｑ  フックブラッケット
１ｐ  ハンドルブラケット
２    バックフレームアッシー
２ｇ  バックフレーム
２ｈ  バックボード
２ｉ  バックヒンジ部
２ｊ  ストッパーピン
２ｋ  ウェルドナット
２ｒ  バックフック部
３    ヒンジボルト
４    フリクションワッシャー
５    ブラインドリベット
６    面ファスナー
７    スティープル
８    サイレンサー
９    パッドトリムアッシー
１０  ボート腰掛板
１１  ボート本体
【図１】
2005225264.tif 000003
【図２】
2005225264.tif 000004
【図３】
2005225264.tif 000005
【図４】
2005225264.tif 000006
【図５】
2005225264.tif 000007
【図６】
2005225264.tif 000008
【図７】
2005225264.tif 000009
【図８】
2005225264.tif 000010